(57)【要約】【課題】媒体を精度よく切断できる記録装置を提供すること。【解決手段】記録装置は、媒体Ｓに画像を記録する記録部と、媒体が排出される排出口を有する筐体と、媒体を搬送する搬送部と、媒体を切断する切断機構５０と、を備え、切断機構は、媒体の搬送方向Ｙにおいて、媒体を下流側媒体Ｓ１と上流側媒体Ｓ２とに切断可能なカッター刃５１と、媒体の幅方向Ｘに往復移動可能なカッターユニット７０と、を有し、カッターユニットは、カッター刃に媒体を切断させるべく幅方向に移動する際に、媒体を幅方向において通過させる媒体通路７３を有し、媒体通路は、下流側媒体が通過する下流側通路９１と、上流側媒体が通過する上流側通路と、を有し、下流側通路は、幅方向において、カッター刃により媒体が切断される切断位置Ｑから離れるにつれて上方に向けて傾斜するように延びる上り傾斜面９３と、傾斜面と連なって水平に延びる水平面９４とを有している。【選択図】図６
2018167404.tif 000002
【特許請求の範囲】
【請求項１】
媒体に画像を記録する記録部と、
前記記録部を収容し、前記記録部により記録された前記媒体が排出される排出口を有する筐体と、
前記媒体を前記筐体内において前記排出口に向けて搬送する搬送部と、
前記記録部により記録された媒体を切断する切断機構と、を備え、
前記切断機構は、
前記搬送部によって搬送される前記媒体の搬送方向において、前記媒体を下流側媒体と上流側媒体とに切断可能なカッター刃と、
前記カッター刃が取り付けられ、前記搬送部に搬送される前記媒体の幅方向に往復移動可能なカッターユニットと、を有し、
前記カッターユニットは、前記カッター刃に前記媒体を切断させるべく前記幅方向に移動する際に、前記媒体を前記幅方向において通過させる媒体通路を有し、
前記媒体通路は、前記下流側媒体が通過する下流側通路と、前記上流側媒体が通過する上流側通路と、を有し、
前記下流側通路は、前記幅方向において、前記カッター刃により前記媒体が切断される切断位置から離れるにつれて、上方に向けて傾斜するように延びる上り傾斜面と、前記傾斜面と連なって水平に延びる水平面とを有していることを特徴とする記録装置。
【請求項２】
前記下流側通路は、前記切断位置と前記上り傾斜面との間に水平面を有していることを特徴とする請求項１に記載の記録装置。
【請求項３】
前記上流側通路は、前記切断位置から離れるにつれて、下方に向けて傾斜するように延びる下り傾斜面を有することを特徴とする請求項１又は請求項２に記載の記録装置。
【請求項４】
前記上流側通路は、前記切断位置と前記下り傾斜面との間に水平面を有していることを特徴とする請求項３に記載の記録装置。
【請求項５】
前記切断機構は、前記搬送方向において、前記記録部が前記媒体に記録する記録位置と前記切断位置との間の距離よりも、前記排出口と前記切断位置との間の距離の方が小さくなるように配置されていることを特徴とする請求項１乃至請求項４のうち何れか一項に記載の記録装置。
【発明の詳細な説明】
【技術分野】
【０００１】
本発明は、例えば、インクジェット式のプリンターなどの記録装置に関する。
【背景技術】
【０００２】
記録装置の一例として、搬送される媒体を所望のサイズに切断するカッターを備えるプリンターがある。特許文献１には、カッター刃を備えるカッターホルダが媒体の幅方向に往復移動して媒体を切断するカッター装置を備える記録装置が記載されている。このカッター装置は、媒体を切断する際、その媒体をカッター刃に向けて案内するための誘導路をカッターホルダに有している。誘導路は、媒体が搬送される搬送方向において、切断された媒体の上流側となる端部を上方に押し上げるように傾斜した形状とされている。カッター装置は、切断された媒体の端面間で高低差をつけるように誘導路が媒体を案内することによって、切断時にかかるカッター刃の負荷を低減している。
【先行技術文献】
【特許文献】
【０００３】
【特許文献１】特開２０１１−４６１０１号公報
【発明の概要】
【発明が解決しようとする課題】
【０００４】
特許文献１に記載された記録装置においては、例えば記録装置の排出口が小さい場合等において、切断されて排出口から排出される媒体の上流側となる端部を誘導路が押し上げることで、その媒体の端部が排出口の縁と接触することがある。媒体の端部が排出口の縁と接触すると、媒体が変形する。媒体が変形すると、切断時にかかるカッター刃の負荷が大きくなり、媒体を精度よく切断できない虞がある。
【０００５】
本発明の目的は、媒体を精度よく切断できる記録装置を提供することにある。
【課題を解決するための手段】
【０００６】
以下、上記課題を解決するための手段及びその作用効果について記載する。
上記課題を解決する記録装置は、媒体に画像を記録する記録部と、前記記録部を収容し、前記記録部により記録された前記媒体が排出される排出口を有する筐体と、前記媒体を前記筐体内において前記排出口に向けて搬送する搬送部と、前記記録部により記録された媒体を切断する切断機構と、を備え、前記切断機構は、前記搬送部によって搬送される前記媒体の搬送方向において、前記媒体を下流側媒体と上流側媒体とに切断可能なカッター刃と、前記カッター刃が取り付けられ、前記搬送部に搬送される前記媒体の幅方向に往復移動可能なカッターユニットと、を有し、前記カッターユニットは、前記カッター刃に前記媒体を切断させるべく前記幅方向に移動する際に、前記媒体を前記幅方向において通過させる媒体通路を有し、前記媒体通路は、前記下流側媒体が通過する下流側通路と、前記上流側媒体が通過する上流側通路と、を有し、前記下流側通路は、前記幅方向において、前記カッター刃により前記媒体が切断される切断位置から離れるにつれて、上方に向けて傾斜するように延びる上り傾斜面と、前記傾斜面と連なって水平に延びる水平面とを有している。
【０００７】
この構成によれば、上流側媒体から切断された下流側媒体は、切断されてから下流側通路を幅方向に通過する際、搬送方向において上流側となる端部が、上り傾斜面によって上方に押し上げられた後に水平面によって水平に支持される。すなわち、下流側通路が上り傾斜面のみを有する構成と比べ、上り傾斜面により押し上げられた後における下流側媒体の高さを抑えることができる。そのため、下流側媒体と上流側媒体との高低差を低減でき、排出口の開口が比較的小さい場合であっても、カッター刃にかかる負荷を低減しつつ切断された媒体が排出口の縁と接触する虞を低減できる。したがって、媒体を精度よく切断できる。
【０００８】
上記記録装置において、前記下流側通路は、前記切断位置と前記上り傾斜面との間に水平面を有していることが好ましい。
この構成によれば、下流側通路が切断位置と上り傾斜面との間に水平面を有するため、切断位置から直ぐに上り傾斜面となる構成と比べ、切断時の媒体の姿勢を安定させることができる。
【０００９】
上記記録装置において、前記上流側通路は、前記切断位置から離れるにつれて、下方に向けて傾斜するように延びる下り傾斜面を有することが好ましい。
この構成によれば、上流側媒体が上流側通路を通過する際、搬送方向において下流側となる端部が下り傾斜面により下方に垂れた状態となる。上流側通路によって上流側媒体の端部が下方に垂れる分、下流側通路の上り傾斜面の斜度を小さくできるため、上り傾斜面により押し上げられた後における下流側媒体の高さを抑えることができる。
【００１０】
上記記録装置において、前記上流側通路は、前記切断位置と前記下り傾斜面との間に水平面を有していることが好ましい。
この構成によれば、上流側通路が切断位置と下り傾斜面との間に水平面を有するため、切断位置から直ぐに下り傾斜面となる構成と比べ、切断時の媒体の姿勢を安定させることができる。
【００１１】
上記記録装置において、前記切断機構は、前記搬送方向において、前記記録部が前記媒体に記録する記録位置と前記切断位置との間の距離よりも、前記排出口と前記切断位置との間の距離の方が小さくなるように配置されていることが好ましい。
【００１２】
この構成によれば、搬送方向における切断機構と排出口との距離が小さくなるため、装置の小型化に貢献できる。
【図面の簡単な説明】
【００１３】
【図１】記録装置の一実施形態の内部構造を模式的に示す側面図。
【図２】切断機構の斜視図。
【図３】切断機構の正面図。
【図４】切断機構の側面図。
【図５】切断機構の背面図。
【図６】媒体を切断する際の切断機構の正面図。
【発明を実施するための形態】
【００１４】
以下、切断機構を備える記録装置の一実施形態について図面を参照しながら説明する。
図１に示すように、記録装置１１は、直方体状の筐体１２を有している。記録装置１１は、筐体１２内に、媒体Ｓに文字、写真等の画像を記録する記録部２０と、媒体Ｓを支持する第１支持部材３１及び第２支持部材３２とを備えている。記録装置１１は、筐体１２内に、媒体Ｓを搬送する搬送部４０と、記録部２０により記録された媒体Ｓを切断する切断機構５０とを備えている。すなわち、記録部２０、第１、第２支持部材３１、３２、搬送部４０、切断機構５０は、筐体１２に収容されている。
【００１５】
筐体１２内には、例えば用紙である媒体Ｓがロール状に巻き重ねられたロール体Ｒが配置されている。ロール体Ｒは、図１において右方となる筐体１２内の後方に配置されている。ロール体Ｒは、媒体Ｓの幅方向Ｘに延びるように設けられた軸１３によって回転可能に支持されている。本実施形態においては、軸１３が図１において反時計回り方向に回転することによって、ロール体Ｒから媒体Ｓが巻き解かれる。巻き解かれた媒体Ｓは、搬送部４０により搬送され、筐体１２の前面１４に開口する排出口１５を通じて筐体１２内から筐体１２外へ排出される。すなわち、本実施形態において、筐体１２の後方から前方に向かう方向、図１において右方から左方に向かう方向が、搬送部４０により搬送される媒体Ｓの搬送方向Ｙとなる。筐体１２の前面１４は、鉛直方向Ｚ及び幅方向Ｘに広がりを有する面である。
【００１６】
記録部２０は、例えばインク等の液体を媒体Ｓに向けて噴射するヘッド２１と、ヘッド２１を搭載するキャリッジ２２とを有している。キャリッジ２２は、筐体１２内に設けられるフレーム１６と、フレーム１６に取り付けられたガイド軸１７とにより支持されている。ガイド軸１７は、媒体Ｓの幅方向Ｘに延びている。キャリッジ２２は、ガイド軸１７に沿って移動可能とされている。すなわち、キャリッジ２２は、幅方向Ｘに移動可能とされている。ヘッド２１は、キャリッジ２２がガイド軸１７に沿って移動することによって、幅方向Ｘの全域に亘って媒体Ｓに液体を噴射可能とされている。
【００１７】
第１、第２支持部材３１、３２は、板状の部材で構成されている。第１支持部材３１は、搬送方向Ｙにおいて第２支持部材３２よりも上流側に配置され、ロール体Ｒから巻き解かれた媒体Ｓを記録部２０に向けて案内する。第２支持部材３２は、記録部２０のヘッド２１と対向するように配置されている。すなわち、本実施形態において、第２支持部材３２の表面においてヘッド２１と対向する位置が、記録位置Ｐとなる。
【００１８】
搬送部４０は、ロール体Ｒから巻き解かれた媒体Ｓを第１、第２支持部材３１、３２に沿うように、筐体１２内から排出口１５に向けて搬送する。搬送部４０は、搬送方向Ｙにおいて、上流側から下流側に向かって順に、第１搬送ローラー対４１、第２搬送ローラー対４２、第３搬送ローラー対４３、第４搬送ローラー対４４を有している。第１搬送ローラー対４１は、搬送方向Ｙにおいて、ヘッド２１よりも上流側に配置され、第１支持部材３１と第２支持部材３２との間となる位置に配置されている。第２、第３、第４搬送ローラー対４２、４３、４４は、搬送方向Ｙにおいて、ヘッド２１よりも下流側に配置されている。
【００１９】
第１、第２、第３、第４搬送ローラー対４１、４２、４３、４４は、図示しないモーターにより駆動回転が可能な駆動ローラー４５と、駆動ローラー４５の回転に対して従動回転が可能な従動ローラー４６とを有している。第１、第２、第３、第４搬送ローラー対４１、４２、４３、４４は、駆動ローラー４５と従動ローラー４６とで媒体Ｓを挟み込んだ状態で回転することによって、媒体Ｓを搬送する。駆動ローラー４５は、媒体Ｓに対して下方から接触するように配置されている。従動ローラー４６は、媒体Ｓに対して上方から接触するように配置されている。すなわち、第２、第３、第４搬送ローラー対４２、４３、４４における従動ローラー４６は、媒体Ｓを搬送する際に、媒体Ｓに対して液体が噴射された面に接触する。そのため、第２、第３、第４搬送ローラー対４２、４３、４４における従動ローラー４６は、媒体Ｓに記録された画像の品質の劣化を低減するべく、媒体Ｓに対して接触面積の小さいスターホイール等で構成されている。第１、第２、第３、第４搬送ローラー対４１、４２、４３、４４は、幅方向Ｘにおいて、所定の間隔をあけてそれぞれ複数配置されている。
【００２０】
切断機構５０は、搬送方向Ｙにおいて、第３搬送ローラー対４３と第４搬送ローラー対４４との間に配置されている。切断機構５０により切断された媒体Ｓは、第４搬送ローラー対４４によって搬送されることで排出口１５から排出される。なお、本実施形態における記録装置１１は、ユーザーが手を排出口１５から筐体１２内に挿し入れることができない程度に、排出口１５の開口における鉛直方向Ｚの間隔が比較的小さく構成されている。
【００２１】
図１において、切断機構５０により媒体Ｓが切断される位置を切断位置Ｑとする。この場合、切断機構５０は、搬送方向Ｙにおいて、記録位置Ｐと切断位置Ｑとの間の距離よりも、排出口１５と切断位置Ｑとの間の距離の方が小さくなるように配置されている。すなわち、切断機構５０は、搬送方向Ｙにおいて、ヘッド２１よりも排出口１５の方が近くなるように配置されている。
【００２２】
本実施形態における記録装置１１は、通常、水平に広がる床面に設置された状態で使用される。記録装置１１の筐体１２は、その前面１４が床面と交差、理想的には直交するような直方体状をなすように設けられている。このとき、Ｘ軸、Ｙ軸、Ｚ軸の３軸からなる直交座標系を考え、記録装置１１が設置される床面をＸ軸及びＹ軸からなる平面とし、筐体１２の前面１４をＸ軸及びＺ軸からなる平面となるように座標系をとる。すると、幅方向ＸはＸ軸が延びる方向と一致し、搬送方向ＹはＹ軸が延びる方向と一致し、鉛直方向ＺはＺ軸が延びる方向と一致する。幅方向Ｘに延びるＸ軸と、搬送方向Ｙに延びるＹ軸と、鉛直方向Ｚに延びるＺ軸とは、それぞれ互いに直交する関係にある。すなわち、本実施形態において、幅方向Ｘ、搬送方向Ｙ及び鉛直方向Ｚは、それぞれ互いに異なる３つの方向を示している。
【００２３】
次に、切断機構５０について説明する。
図２に示すように、切断機構５０は、媒体Ｓを切断するためのカッター刃５１と、カッター刃５１が取り付けられるカッターユニット７０と、カッターユニット７０を支持するガイドフレーム６０とを有している。ガイドフレーム６０は、幅方向Ｘにおいて、記録装置１１が装填可能なロール体Ｒよりも長尺となるように延びている。すなわち、ガイドフレーム６０の長手方向は、幅方向Ｘと一致する。カッターユニット７０は、ガイドフレーム６０に沿って往復移動することが可能とされている。切断機構５０は、カッターユニット７０がガイドフレーム６０に沿って移動することによって、カッター刃５１により媒体Ｓを切断する。なお、説明の便宜のため、幅方向Ｘにおいて、図２における左側を＋Ｘ側とし、その逆側となる右側を−Ｘ側とする。本実施形態においては、図２に示すように、ガイドフレーム６０において、幅方向Ｘの＋Ｘ側となる端部が、カッターユニット７０のホームポジションＨＰとされている。
【００２４】
ガイドフレーム６０は、板金が折り曲げられて構成されている。ガイドフレーム６０は、幅方向Ｘから見たときに鉤爪状をなすように形成されている。ガイドフレーム６０は、底壁６１と、底壁６１から上方に向けて屈曲して延びる前壁６２及び後壁６３を有している。前壁６２は、搬送方向Ｙにおいて後壁６３よりも下流側に位置し、鉛直方向Ｚにおいて後壁６３よりもその長さが短くなるように底壁６１から延びている。
【００２５】
ガイドフレーム６０は、幅方向Ｘに延びるラックギヤ６４を有している。ラックギヤ６４は、ガイドフレーム６０の後壁６３において、搬送方向Ｙの下流側となる面に取り付けられている。ラックギヤ６４は、後壁６３の上縁に沿うように配置され、幅方向Ｘにおける長さがガイドフレーム６０よりも少し短くなるように設けられている。ラックギヤ６４は、その下側となる部分に歯６５を幅方向Ｘに亘って有している。ラックギヤ６４は、その上側となる部分に、カッターユニット７０の移動をガイドするための溝６６を幅方向Ｘに亘って有している。
【００２６】
図２及び図３に示すように、カッターユニット７０は、カッター刃５１を保持する保持体７１と、ガイドフレーム６０に保持される移動体７２とを有している。なお、図２及び図３に示すカッターユニット７０は、ホームポジションＨＰに位置している。保持体７１及び移動体７２は、一体的に取り扱い可能となるように互いに固定されている。保持体７１及び移動体７２は、搬送方向Ｙから見たときに互いに一部分同士が重なるように固定されている。詳述すると、保持体７１及び移動体７２は、保持体７１の下側部分と移動体７２の上側部分とが鉛直方向Ｚにおいて重なるように配置されている。
【００２７】
保持体７１は、移動体７２において、搬送方向Ｙの下流側となる面に取り付けられている。保持体７１は、鉛直方向Ｚにおいて移動体７２の上方となる位置に、幅方向Ｘに延びる媒体通路７３を有している。媒体通路７３は、カッターユニット７０がガイドフレーム６０に沿って幅方向Ｘに移動する際に、媒体Ｓが保持体７１を通過するための通路である。すなわち、媒体通路７３は、カッターユニット７０が幅方向Ｘに移動する際に、媒体Ｓを幅方向Ｘにおいて通過させる通路である。媒体通路７３は、幅方向Ｘにおいて−Ｘ側となる部分が、媒体通路７３内に媒体Ｓを導入するための導入口７４とされている。導入口７４は、媒体通路７３内に媒体Ｓを導入し易くするために、幅方向Ｘにおいて＋Ｘ側から−Ｘ側に向かうにつれて鉛直方向Ｚにおける開きが徐々に大きくなるように構成されている。
【００２８】
保持体７１は、媒体通路７３においてその途中となる位置にカッター刃５１を保持している。すなわち、媒体通路７３は、カッターユニット７０が幅方向Ｘに移動する際に、媒体Ｓをカッター刃５１に向けて案内する。カッター刃５１は、幅方向Ｘにおいて導入口７４よりも＋Ｘ側に配置され、導入口７４と隣り合うように位置している。カッター刃５１は、円板状の駆動刃５２と従動刃５３とで構成されている。駆動刃５２及び従動刃５３は、保持体７１に対して回転可能に取り付けられている。駆動刃５２及び従動刃５３は、鉛直方向Ｚにおいて並ぶように設けられ、媒体通路７３を挟むように配置されている。駆動刃５２は、鉛直方向Ｚにおいて従動刃５３の下方に位置し、搬送方向Ｙにおいて従動刃５３よりも下流側に位置している。
【００２９】
カッター刃５１は、搬送方向Ｙから見たときに、駆動刃５２の上側部分となる刃先と従動刃５３の下側部分となる刃先とが互いに重なる状態で、保持体７１に保持されている。駆動刃５２の刃先及び従動刃５３の刃先は、刃先同士が重なる部分のうち、幅方向Ｘにおいて−Ｘ側寄りの位置となる切断位置Ｑで互いに接触している。本実施形態における駆動刃５２は、その回転軸が搬送方向Ｙに延びる従動刃５３に対して所定の角度だけ傾いた姿勢で保持体７１に保持されている。カッター刃５１は、駆動刃５２及び従動刃５３が回転することによって、駆動刃５２及び従動刃５３の刃先同士が接触する切断位置Ｑにおいて媒体Ｓを切断する。すなわち、切断機構５０は、カッターユニット７０が幅方向Ｘにおいて＋Ｘ側から−Ｘ側に向けて移動する際に、媒体通路７３を通過する媒体Ｓを、回転する駆動刃５２及び従動刃５３で挟み込むことにより切断する。本実施形態における切断機構５０は、幅方向Ｘにおいて＋Ｘ側から−Ｘ側に向けて移動することで媒体Ｓを切断した後、−Ｘ側から＋Ｘ側に向けて移動することでホームポジションＨＰに戻る。
【００３０】
保持体７１は、その上部に、記録部２０が有するキャリッジ２２とカッターユニット７０とを連結するためのレバー７５を有している。レバー７５は、キャリッジ２２に設けられた図示しない係合部、例えばキャリッジ２２から延びる爪と係合可能とされている。すなわち、カッターユニット７０は、レバー７５を介してキャリッジ２２と連結することによって、キャリッジ２２の移動に伴って幅方向Ｘに移動することが可能となる。なお、レバー７５は、アクチュエーター、モーター等によって、係合部と係合する係合状態と、係合部と係合しない解除状態とに切替可能に構成されている。本実施形態においては、例えば、記録部２０が媒体Ｓに記録する際にはレバー７５が解除状態となり、切断機構５０が媒体Ｓを切断する際にはレバー７５が係合状態となる。レバー７５が解除状態となると、キャリッジ２２の移動に伴ってカッターユニット７０は移動せず、レバー７５が係合状態となると、キャリッジ２２の移動に伴ってカッターユニット７０は移動する。
【００３１】
図３及び図４に示すように、移動体７２は、その下部に、ガイドフレーム６０の前壁６２を挟み込むように配置された第１ローラー８１、第２ローラー８２及び第３ローラー８３を有している。第１、第２ローラー８１、８２は、前壁６２において、搬送方向Ｙの下流側となる面にその周面が接触するように配置されている。第３ローラー８３は、前壁６２において、搬送方向Ｙの上流側となる面にその周面が接触するように配置されている。第１ローラー８１は、移動体７２において、幅方向Ｘの＋Ｘ側となる端部に位置し、第２ローラー８２は、−Ｘ側となる端部に位置している。第３ローラー８３は、幅方向Ｘにおいて第１ローラー８１と第２ローラー８２との間に位置している。第１、第２、第３ローラー８１、８２、８３は、その回転軸が鉛直方向Ｚに延び、移動体７２が幅方向Ｘに移動する際に、前壁６２との摩擦によって回転する。すなわち、第１、第２、第３ローラー８１、８２、８３は、前壁６２に沿ってカッターユニット７０の移動をガイドする。
【００３２】
図４及び図５に示すように、移動体７２は、その上部に、ラックギヤ６４が有する溝６６に一部分が収まるように配置された第４ローラー８４及び第５ローラー８５を有している。第４、第５ローラー８４、８５は、その周面が、溝６６の底面６７に接触するように配置されている。第４ローラー８４は、移動体７２において、幅方向Ｘの−Ｘ側となる端部に位置し、第５ローラー８５は、幅方向Ｘの＋Ｘ側となる端部に位置している。第４、第５ローラー８４、８５は、その回転軸が搬送方向Ｙに延び、移動体７２が幅方向Ｘに移動する際に、溝６６の底面６７との摩擦によって回転する。すなわち、第４、第５ローラー８４、８５は、ラックギヤ６４の溝６６に沿ってカッターユニット７０の移動をガイドする。まとめると、第１、第２、第３、第４、第５ローラー８１、８２、８３、８４、８５は、ガイドフレーム６０に沿ってカッターユニット７０の移動をガイドする。
【００３３】
図４に示すように、移動体７２は、ラックギヤ６４の歯６５と噛み合い可能なピニオンギヤ８６を有している。ピニオンギヤ８６は、移動体７２に対して回転可能に取り付けられている。ピニオンギヤ８６は、カッターユニット７０がガイドフレーム６０に沿って幅方向Ｘに移動する際に、ラックギヤ６４の歯６５と噛み合いながら回転する。カッターユニット７０は、ピニオンギヤ８６の回転を駆動刃５２へ伝達する不図示の伝達ギヤを有している。すなわち、カッターユニット７０は、ガイドフレーム６０に沿って幅方向Ｘに移動する際に、ピニオンギヤ８６の回転に伴って駆動刃５２が回転するように構成されている。本実施形態の図３において、カッターユニット７０が幅方向Ｘの＋Ｘ側から−Ｘ側に向けて移動する際、駆動刃５２は反時計回り方向に回転するように構成されている。従動刃５３は、その刃先が駆動刃５２の刃先と接触することによって、駆動刃５２の回転に従動回転する。すなわち、駆動刃５２及び従動刃５３は、回転しながら、駆動刃５２の刃先と従動刃５３の刃先とで媒体Ｓを挟み込むように切断する。
【００３４】
図４及び図６に示すように、切断機構５０による切断時に媒体通路７３を通過する媒体Ｓは、切断位置Ｑを通過する際に、下流側媒体Ｓ１と上流側媒体Ｓ２とに切断される。すなわち、カッター刃５１は、媒体Ｓを下流側媒体Ｓ１と上流側媒体Ｓ２とに切断可能に構成されている。切断後の下流側媒体Ｓ１は単票の媒体Ｓであり、上流側媒体Ｓ２はロール体Ｒと連続する媒体Ｓである。カッターユニット７０に設けられる媒体通路７３は、下流側媒体Ｓ１が通過するための下流側通路９１と、上流側媒体Ｓ２が通過するための上流側通路９２とを有している。すなわち、媒体通路７３は、幅方向Ｘにおいて切断位置Ｑよりも＋Ｘ側となる部分が、下流側通路９１と上流側通路９２とに分岐するように構成されている。
【００３５】
下流側通路９１は、保持体７１において搬送方向Ｙの下流側に設けられている。下流側通路９１は、幅方向Ｘにおいて、切断位置Ｑから＋Ｘ側に向かって、上り傾斜面９３と、水平面９４とを有している。上り傾斜面９３は、幅方向Ｘにおいて、切断位置Ｑから＋Ｘ側に向けて離れるにつれて上方に傾斜する面である。水平面９４は、水平に延びる面であり、幅方向Ｘにおいて上り傾斜面９３と連なっている。本実施形態における下流側通路９１は、幅方向Ｘにおいて、切断位置Ｑと上り傾斜面９３との間に、水平面９４とは別の水平面９５を有している。水平面９５は、水平面９４と同様に、幅方向Ｘにおいて上り傾斜面９３と連なっている。駆動刃５２は、この水平面９５から露出するように配置されている。すなわち、切断機構５０が媒体Ｓを切断する際、下流側通路９１を通過する下流側媒体Ｓ１は、切断位置Ｑから＋Ｘ側に向かうにつれて、水平面９５、上り傾斜面９３、水平面９４の順に支持される。
【００３６】
図５に示すように、上流側通路９２は、保持体７１において搬送方向Ｙの上流側に設けられている。上流側通路９２は、幅方向Ｘにおいて、切断位置Ｑから＋Ｘ側に向けて離れるにつれて、下方に傾斜する下り傾斜面９６を有している。本実施形態における上流側通路９２は、幅方向Ｘにおいて、切断位置Ｑと下り傾斜面９６との間に水平面９７を有している。水平面９７は、幅方向Ｘにおいて下り傾斜面９６と連なっている。駆動刃５２は、この水平面９７から露出するように配置されている。すなわち、切断機構５０が媒体Ｓを切断する際、上流側通路９２を通過する上流側媒体Ｓ２は、切断位置Ｑから＋Ｘ側に向かうにつれて、水平面９７、下り傾斜面９６の順に支持される。なお、上流側通路９２の水平面９７及び下流側通路９１の水平面９５は、搬送方向Ｙにおいて連なっている。
【００３７】
次に、上記のように構成された記録装置１１の作用について、特に切断機構５０が媒体Ｓを切断する場合に着目して説明する。
図４及び図６に示すように、切断機構５０が媒体Ｓを切断する際、カッターユニット７０は、幅方向Ｘにおいて＋Ｘ側から−Ｘ側に向けて移動する。媒体Ｓは、幅方向Ｘに移動するカッターユニット７０の媒体通路７３を通過することでカッター刃５１により切断される。媒体通路７３を通過する媒体Ｓは、カッター刃５１によって下流側媒体Ｓ１と上流側媒体Ｓ２とに切断される。カッターユニット７０が幅方向Ｘに移動することに伴い、下流側媒体Ｓ１は下流側通路９１を通過し、上流側媒体Ｓ２は上流側通路９２を通過する。
【００３８】
下流側通路９１を通過する下流側媒体Ｓ１は、搬送方向Ｙにおいて上流側となる端部、すなわちカッター刃５１によって切断された端面が上り傾斜面９３によって上方に押し上げられるように支持される。上流側通路９２を通過する上流側媒体Ｓ２は、搬送方向Ｙにおいて下流側となる端部、すなわちカッター刃５１によって切断された端面が下り傾斜面９６によって下方に垂れ下がるように支持される。すなわち、媒体通路７３を通過する媒体Ｓは、切断位置Ｑを通過後、下流側媒体Ｓ１及び上流側媒体Ｓ２の端面同士が鉛直方向Ｚにおいて互いに離れるように支持される。一般的に、カッター刃５１が媒体Ｓを切断する際には、切断された媒体Ｓの端面同士で高低差をつけることによって、切断時にかかるカッター刃５１の負荷が小さくなる。
【００３９】
このとき、下流側媒体Ｓ１と上流側媒体Ｓ２とで高低差をつけるために、下流側媒体Ｓ１の端面を押し上げると、記録装置１１の構成によっては押し上げられた媒体Ｓが他の部材と干渉する虞がある。本実施形態の記録装置１１においては、ユーザーが排出口１５から手を差し入れることができないように排出口１５の開口における鉛直方向Ｚの間隔が比較的小さく設けられている。そのため、切断機構５０に切断される媒体Ｓは、その下流側媒体Ｓ１が押し上げられることで排出口１５の縁に接触する虞がある。
【００４０】
特に、本実施形態における第４搬送ローラー対４４は、幅方向Ｘにおいて所定の間隔をあけて複数配置されている。そのため、搬送される媒体Ｓのサイズによっては、幅方向Ｘにおいて下流側媒体Ｓ１の端部が第４搬送ローラー対４４に挟み込まれない場合がある。すなわち、下流側媒体Ｓ１は、上り傾斜面９３に押し上げられることによって、その端部が排出口１５の縁と接触する虞がある。下流側媒体Ｓ１の端部が排出口１５の縁と接触すると、その接触に伴って媒体Ｓが変形する。媒体Ｓが変形すると、カッター刃５１にかかる負荷が大きくなり、カッター刃５１が媒体Ｓを精度よく切断できない虞がある。
【００４１】
そのため、本実施形態における記録装置１１は、切断機構５０が有する媒体通路７３において、上り傾斜面９３に対して幅方向Ｘの＋Ｘ側で連なる水平面９４を有している。すなわち、下流側通路９１が、幅方向Ｘにおいて切断位置Ｑから＋Ｘ側の端部に亘って上り傾斜面９３が延びる構成と比較して、下流側通路９１により押し上げられる下流側媒体Ｓ１の高さが低減される。すなわち、切断時にかかるカッター刃５１の負荷を抑制しつつ、下流側媒体Ｓ１が排出口１５の縁を含む他の部材と接触する虞が低減される。
【００４２】
なお、水平面９４は、＋Ｘ側に向かうにつれて、緩やかに下り傾斜となる構成としてもよい。
上記実施形態によれば、以下のような効果を得ることができる。
【００４３】
（１）媒体Ｓから切断された下流側媒体Ｓ１は、切断されてから下流側通路９１を幅方向Ｘに通過する際、搬送方向Ｙにおいて上流側となる端部が、上り傾斜面９３によって上方に押し上げられた後に水平面９４によって水平に支持される。すなわち、下流側通路９１が上り傾斜面９３のみを有する構成と比べ、上り傾斜面９３により押し上げられた後における下流側媒体Ｓ１の高さを抑えることができる。そのため、下流側媒体Ｓ１と上流側媒体Ｓ２との高低差を低減でき、排出口１５の開口における鉛直方向Ｚの間隔が比較的小さい場合であっても、カッター刃５１にかかる負荷を低減しつつ切断された媒体Ｓが排出口１５の縁と接触する虞を低減できる。したがって、媒体Ｓを精度よく切断できる。
【００４４】
（２）下流側通路９１が切断位置Ｑと上り傾斜面９３との間に水平面９５を有するため、切断位置Ｑから直ぐに上り傾斜面９３となる構成と比べ、切断時の媒体Ｓの姿勢を安定させることができる。
【００４５】
（３）上流側媒体Ｓ２が上流側通路９２を通過する際、搬送方向Ｙにおいて下流側となる端部が下り傾斜面９６により下方に垂れた状態となる。上流側通路９２によって上流側媒体Ｓ２の端部が下方に垂れる分、下流側通路９１の上り傾斜面９３の斜度を小さくできるため、上り傾斜面９３により押し上げられた後における下流側媒体Ｓ１の高さを抑えることができる。
【００４６】
（４）上流側通路９２が切断位置Ｑと下り傾斜面９６との間に水平面９７を有するため、切断位置Ｑから直ぐに下り傾斜面９６となる構成と比べ、切断時の媒体Ｓの姿勢を安定させることができる。
【００４７】
（５）切断機構５０は、搬送方向Ｙにおいて、記録部２０が媒体Ｓに記録する記録位置Ｐと切断位置Ｑとの間の距離よりも、排出口１５と切断位置Ｑとの間の距離の方が小さくなるように配置されている。すなわち、搬送方向Ｙにおける切断機構５０と排出口１５との距離が小さくなるため、装置の小型化に貢献できる。
【００４８】
なお、上記実施形態は以下のように変更してもよい。また、以下の変更例は適宜組み合わせてもよい。
・切断機構５０は、搬送方向Ｙにおいて、切断位置Ｑと排出口１５との距離よりも、切断位置Ｑと記録位置Ｐとの距離の方が小さくなるように配置されてもよい。
【００４９】
・カッター刃５１は、回転する刃に限らず、固定された刃でもよい。
・カッターユニット７０は、別途モーターなどの駆動源によって移動するように構成してもよい。
【００５０】
カッターユニット７０は、ガイドフレーム６０に替えて、ガイド軸に支持される構成としてもよい。
・媒体Ｓは、用紙に限らず、プラスチックフィルム、金属フィルム、布帛などでもよい。
【００５１】
・記録装置１１は、インク以外の他の流体（液体や、機能材料の粒子が液体に分散又は混合されてなる液状体、ゲルのような流状体、流体として流して噴射できる固体を含む）を噴射したり吐出したりして記録を行う流体噴射装置であってもよい。例えば、液晶ディスプレイ、ＥＬ（エレクトロルミネッセンス）ディスプレイ及び面発光ディスプレイの製造などに用いられる電極材や色材（画素材料）などの材料を分散または溶解のかたちで含む液状体を噴射して記録を行う液状体噴射装置であってもよい。また、ゲル（例えば物理ゲル）などの流状体を噴射する流状体噴射装置、トナーなどの粉体（粉粒体）を例とする固体を噴射する粉粒体噴射装置（例えばトナージェット式記録装置）であってもよい。そして、これらのうちいずれか一種の流体噴射装置に本発明を適用することができる。なお、本明細書において「流体」とは、例えば液体（無機溶剤、有機溶剤、溶液、液状樹脂、液状金属（金属融液）等を含む）、液状体、流状体、粉粒体（粒体、粉体を含む）などが含まれる。
【符号の説明】
【００５２】
１１…記録装置、１５…排出口、２０…記録部、４０…搬送部、５０…切断機構、５１…カッター刃、５２…駆動刃、５３…従動刃、６０…ガイドフレーム、７０…カッターユニット、７１…保持体、７２…移動体、７３…媒体通路、７４…導入口、７５…レバー、８１…第１ローラー、８２…第２ローラー、８３…第３ローラー、９１…下流側通路、９２…上流側通路、９３…上り傾斜面、９４…水平面、９５…水平面、９６…下り傾斜面、９７…水平面、Ｐ…記録位置、Ｑ…切断位置、Ｓ…媒体、Ｓ１…下流側媒体、Ｓ２…上流側媒体、Ｘ…幅方向、Ｙ…搬送方向、Ｚ…鉛直方向。
【図１】
2018167404.tif 000003
【図２】
2018167404.tif 000004
【図３】
2018167404.tif 000005
【図４】
2018167404.tif 000006
【図５】
2018167404.tif 000007
【図６】
2018167404.tif 000008